(57)【要約】  【課題】  洗濯槽を隔壁により複数の収容室に区分けできるようにし、各収容室で個別に洗濯物を洗濯できるようにする。  【解決手段】  縦型円筒状あるいは回転ドラム状の洗濯物が投入される洗濯槽１１の内部に、複数の収容室２１に区分けできる隔壁２０を設け、該隔壁２０には水流通穴を設けずに前記区分けされた収容室２１内の水は相互に流通不可としている。  【選択図】  図１
2006181129.tif 000002
【特許請求の範囲】
【請求項１】
縦型円筒状あるいは回転ドラム状の洗濯物が投入される洗濯槽の内部に、複数の収容室に区分けできる隔壁を設け、該隔壁には水流通穴を設けずに前記区分けされた収容室内の水は相互に流通不可としていることを特徴とする洗濯機。
【請求項２】
前記隔壁は前記洗濯槽の内部に着脱自在に取り付けられ、かつ、該隔壁の取付位置を選択可能として、前記洗濯槽内に設けられる前記区分けされる収容室の個数および該分離された各収容室の容積を選択可能としている請求項１に記載の洗濯機。
【請求項３】
前記縦型円筒状の洗濯槽では、前記隔壁を該洗濯槽の底面側から洗濯物投入口を設けた上端位置まで垂直方向に配置し、前記洗濯槽内において周方向に区分けされた複数の前記収容室を設け、各収容室の外周面に水流通穴が設けられている請求項１または請求項２に記載の洗濯機。
【請求項４】
前記回転ドラム式の洗濯槽では、該洗濯槽の左右対向する両側面の間に前記隔壁を配置して区分けされた前記収容室を設け、各収容室の外周面に水流通穴が設けられている請求項１または請求項２に記載の洗濯機。
【発明の詳細な説明】
【技術分野】
【０００１】
本発明は、洗濯機に関し、詳しくは、洗濯機の洗濯槽内を隔壁により区分けして、互いに遮断された各収容室でそれぞれ個別に洗濯物を洗濯できるものである。
【背景技術】
【０００２】
従来、洗濯機の縦型円筒状あるいは回転ドラム状の洗濯槽は１つの空間からなり、この洗濯槽内に投入した洗濯物が同一空間内で一括で洗濯される構成となっている。
今日、同一家族内においても、自分の洗濯物と自分以外の者の洗濯物とを分けて洗濯したいという要望がある。また、自分の洗濯物であっても、下着と上着等とを分けて洗濯したいという要望がある。
しかしながら、前記のように洗濯槽内に投入された洗濯物は同一空間内で一括で洗濯されるため、洗濯物を分けて洗濯する場合には、洗濯を数回に分けて個別に洗濯しなければならず、手間及び時間がかかると共に、水や洗剤を多量に使用することとなり、経済的にもよくないという問題がある。
【０００３】
そこで、実開昭６３−６８９８３号（特許文献１）において、図６に示す洗濯機１が提供されており、該洗濯機１の洗濯槽２に洗濯槽内を区切る仕切板３を設け、該仕切板３によって分割された各収容室２ａ、２ｂの底部にそれぞれパルセータ４、５を設けている。
前記洗濯機１によれば、洗濯槽２を仕切板３により区切って収容室２ａ、２ｂを設けているため、収容室２ａ、２ｂにそれぞれ別個に洗濯したい洗濯物を投入して、１度の洗濯で別個に洗濯することができる。
【０００４】
しかしながら、特許文献１で提供されている洗濯機１であると、各収容室２ａ、２ｂにそれぞれパルセータ４、５を設けなければならず、構造が複雑になり、コスト高になる問題がある。
また、仕切板３は開閉自在となっているため、任意に仕切板３を開放して洗濯槽を大きな１つの空間にしたり、仕切板３を閉鎖して洗濯槽を２つの空間にしたりすることができるが、３つ以上の空間にはできない問題がある。
【特許文献１】実開昭６３−６８９８３号公報
【発明の開示】
【発明が解決しようとする課題】
【０００５】
本発明は前記問題に鑑みてなされたものであり、縦型円筒状あるいは回転ドラム状の洗濯槽を隔壁により任意の個数と容積を備えた複数の収容室に区分けできるようにし、各収容室で個別に洗濯物を洗濯できるようにすることを課題としている。
【課題を解決するための手段】
【０００６】
前記課題を解決するため、本発明は、縦型円筒状あるいは回転ドラム状の洗濯物が投入される洗濯槽の内部に、複数の収容室に区分けできる隔壁を設け、該隔壁には水流通穴を設けずに前記区分けされた収容室内の水は相互に流通不可としていることを特徴とする洗濯機を提供している。
【０００７】
前記構成によれば、洗濯槽の内部を隔壁により区分けして複数の収容室を設け、これら収容室内の水は相互に流通不可としているため、各収容室で個別に洗濯物を洗濯することができる。これにより、一緒に洗濯したくない洗濯物を一度の洗濯で個別に洗うことができ、洗濯の手間及び時間が省けると共に、洗濯を複数回に分ける場合と比較して、水及び洗剤を節約することができる。
また、各収容室に投入した洗濯物の汚れに応じて各収容室に投入する洗剤の量を変えれば、洗濯物の汚れに応じた洗濯ができ、さらに洗剤を節約することができる。
【０００８】
前記隔壁は、縦型円筒状の洗濯槽の場合、パルセータ側に固定しており、隔壁の径方向の外側の端面を洗濯槽の内周面に摺動自在に当接させ、隔壁の径方向外側端面と洗濯槽の内周面との間を水が通らない構成としている。
また、洗濯槽に設けている脱水穴を洗濯時に閉鎖しており、洗濯槽と該洗濯槽の外周面側を覆う水槽との間を通って収容室内の水が相互に流通するのを防止している。
これにより、区分けされた収容室内の水を相互に流通不可とすることができる。
なお、洗濯槽に超音波装置を設け、超音波により各収容室の洗濯物を洗濯する構成としてもよい。このように超音波により洗濯し、パルセータを設けない場合には、隔壁を洗濯槽の内周面に固定することができる。
【０００９】
前記洗濯槽に設けられた脱水穴を閉鎖する手段としては、洗濯槽の内周面もしくは外周面に脱水穴を閉鎖する閉鎖壁を設けており、洗濯時には、この閉鎖壁によって脱水穴を閉鎖する一方、脱水時には、閉鎖壁が洗濯槽の周方向もしくは軸線方向に位置ズレして、脱水穴から脱水できるようにしている。
また、洗濯槽は、脱水穴を設けたものに限らず、脱水穴を設けずに脱水時の遠心力により洗濯槽の上面開口から水を脱水する洗濯槽でもよい。
【００１０】
一方、洗濯槽が回転ドラムの場合には、隔壁を洗濯槽の内周面に固定しており、回転ドラムに設けた脱水穴は前記と同様の方法により洗濯時に閉鎖する構成としている。
【００１１】
前記隔壁は前記洗濯槽の内部に着脱自在に取り付けられ、かつ、該隔壁の取付位置を選択可能として、前記洗濯槽内に設けられる前記区分けされる収容室の個数および該分離された各収容室の容積を選択可能としていることが好ましい。
【００１２】
前記構成によれば、隔壁を着脱自在として取付位置及び個数を選択可能としているため、洗濯槽内を任意の個数及び容積の収容室に区分けすることができる。よって、分けて洗濯する洗濯物がない場合には、隔壁を取り外し、洗濯槽内を１つの大きな収容室とすることができ、洗濯物を複数に分けて洗濯する場合には、分けた洗濯物の個数に応じて複数の隔壁を洗濯槽内に取り付け、洗濯物をそれぞれ区分けされた収容室で別個に洗濯することができる。
【００１３】
前記隔壁は洗濯槽の中心軸を通るように取り付け、洗濯槽の中心軸から洗濯槽の内周面まで延在させて放射状に設けていることが好ましい。
【００１４】
具体的には、前記縦型円筒状の洗濯槽では、前記隔壁を該洗濯槽の底面側から洗濯物投入口を設けた上端位置まで垂直方向に配置し、前記洗濯槽内において周方向に区分けされた複数の前記収容室を設け、各収容室の外周面に水流通穴が設けられている。
【００１５】
また、前記回転ドラム式の洗濯槽では、該洗濯槽の左右対向する両側面の間に前記隔壁を配置して区分けされた前記収容室を設け、各収容室の外周面に水流通穴が設けられている。
【発明の効果】
【００１６】
前述したように、本発明によれば、洗濯槽の内部を隔壁により区分けして複数の収容室を設け、これら収容室内の水は相互に流通不可としているため、各収容室で個別に洗濯物を洗濯することができる。これにより、一緒に洗濯したくないものを一度の洗濯で個別に洗濯することができ、洗濯の手間及び時間が省けると共に、洗濯を複数回に分ける場合と比較して、水及び洗剤を節約することができる。
【発明を実施するための最良の形態】
【００１７】
本発明の実施形態を図面を参照して説明する。
図１乃至図４は、本発明の第１実施形態を示し、本実施形態の洗濯機１０は洗濯槽１１と、該洗濯槽１１の外周面側を覆う水槽１２とからなり、水槽１２の下部に設けたモータ１３により回転されるパルセータ１４を洗濯槽１１の底面に設けている。その他の構造も従来からある洗濯機と同様の構成としており、詳細な説明及び図示を省略する。
【００１８】
パルセータ１４には、洗濯槽１１内を複数の収容室２１に区分けする隔壁２０を取り付けるための取付溝１４ａを設けている。該取付溝１４ａは、パルセータ１４の中心を通り、洗濯槽１１の径方向に延在して放射状に設けている。
本実施形態では、図３に示すように、９０度間隔で取付溝１４ａを設けている。なお、図３では、取付溝１４ａのみを記載しており、パルセータ１４上面の凹凸は図示を省略している。
なお、パルセータ１４の取付溝１４ａを４５度や３０度の狭ピッチで設け、さらに多くの隔壁２０を取り付けて洗濯槽１１内を小さな収容室に区分けできる構成としてもよい。
【００１９】
前記パルセータ１４の取付溝１４ａに圧入して取り付ける隔壁２０は、隔壁２０をパルセータ１４の取付溝１４ａに取り付けた状態で洗濯槽１１内を区分けする板状部材である。隔壁２０は、区分けした収容室の水が相互に流通しないようにするため、水流通穴を設けていない。
本実施形態では様々な形状の隔壁２０を設けており、例えば、洗濯槽１１の直径に相当する平板状の隔壁２０Ａ、洗濯槽１１の半径に相当する平板状の隔壁２０Ｂ、各辺が洗濯槽１１の半径に相当するＬ形状の隔壁２０Ｃを設けている。
【００２０】
これら隔壁２０は、パルセータ１４の取付溝１４ａに取り付けた状態で、隔壁２０の径方向の外側の端面２０ａおよび下面のうちパルセータ１４の取付溝１４ａに圧入した部分以外の部分が洗濯槽１１の内周面に摺動自在に当接している。これにより、隔壁２０と洗濯槽１１の内周面の間を通って異なる収容室２１間の水が相互に流通しないようにしている。
【００２１】
隔壁２０を洗濯槽１１内に取り付けた状態を例示すると、例えば、図１（Ａ）では、隔壁２０Ａをパルセータ１４の取付溝１４ａに取り付けて、洗濯槽１１をそれぞれ洗濯槽１１の容積の２分の１の容積とした収容室２１Ａと２１Ｂとに区分けしている。
また、図１（Ｂ）では、隔壁２０Ａと２０Ｂを直交させてパルセータ１４の取付溝１４ａに取り付けて、洗濯槽１１の２分の１の容積とした収容室２１Ｃとそれぞれ洗濯槽１１の容積の４分の１とした収容室２１Ｄと２１Ｅとに区分けしている。
図１（Ｃ）では、隔壁２０Ｃをパルセータ１４の取付部１４ａに取り付けて、洗濯槽１１の容積の４分の３の容積とした収容室２１Ｆと４分の１とした収容室２１Ｇとに区分けしている。
このように隔壁２０により区分けされた収容室にそれぞれ個別に洗濯したい洗濯物を投入して、１度の洗濯で異なる収容室に投入した洗濯物を個別に洗濯する構成としている。
【００２２】
洗濯槽１１には、脱水用の脱水穴１１ａを複数設けている。この脱水穴１１ａを洗濯時に塞ぐことにより、洗濯槽１１と水槽１２との間を通って収容室の水が相互に流通するのを防止するためのカバー２２を洗濯槽１１の外面に取り付けている。該カバー２２は、図４に示すように、脱水穴１１ａを閉鎖する閉鎖壁部２２ａを洗濯槽１１の上端から下端に相当する位置まで延在させて設けており、該閉鎖壁部２２ａを周方向に間隔をあけて複数設けている。閉鎖壁部２２ａは上端及び下端で連結されており、周方向に隣接する閉鎖壁部２２ａ間の隙間を開口２２ｂとしている。
【００２３】
前記洗濯槽１１に取り付けたカバー２２は、洗濯時には、図４（Ａ）に示すように、洗濯槽１１の脱水穴１１ａの対向位置にカバー２２の閉鎖壁部２２ａが配置され、該閉鎖壁部２２ａにより脱水穴１１ａが閉鎖される。一方、脱水時には、図４（Ｂ）に示すように、カバー２２が周方向に位置ズレして、脱水穴１１ａの対向位置にカバー２２の開口２２ｂが配置されて、脱水穴１１ａが開放された状態となる。
カバー２２の位置ズレ方法は、センサーにより洗濯時と脱水時を検知して、自動的にカバー２２が周方向に位置ズレするように制御している。
なお、上記カバーは、洗濯槽の脱水穴と略同形状の貫通穴を複数設け、脱水時に該貫通穴を洗濯槽の脱水穴の対向位置に配置して脱水する構成としてもよい。
【００２４】
洗濯槽１１への給水方法は、洗濯槽１１を回転させながら行い、各収容室にそれぞれ給水されるようにしている。
なお、洗濯物を給水後に洗濯槽１１に投入する場合には、洗濯槽１１を回転させずに給水し、その後、洗濯槽１１の脱水穴１１ａをカバー２２の閉鎖壁部２２ａで閉鎖して洗濯物を投入する構成としてもよい。
【００２５】
前記構成によれば、洗濯槽１１の内部を隔壁２０により区分けして複数の収容室を設け、これら収容室内の水は相互に流通不可としているため、各収容室で個別に洗濯物を洗濯することができる。これにより、一緒に洗濯したくないものを一度の洗濯で個別に洗濯することができ、洗濯の手間及び時間が省けると共に、洗濯を複数回に分ける場合と比較して、水及び洗剤を節約することができる。
【００２６】
図５は、本発明の第２実施形態を示す。
第１実施形態のように、洗濯槽の内部を隔壁により複数の収容室に区分けする構造を回転ドラム状の洗濯槽に適用している。
具体的には、回転ドラム状の洗濯槽１１’の内周面１１ｂ’に軸線方向に延在する取付溝１１ｃ’を周方向に間隔をあけて設け、該取付溝１１ｂ’に第１実施形態と同様の隔壁２０’を圧入固定している。
例えば、図５では、対向する取付溝１１ｃ’に隔壁２０’の両端を圧入して、洗濯槽１１’に隔壁２０’を固定し、洗濯槽１１’内を２つの収容室２１Ａ’、２１Ｂ’に区分けしている。区分け方法は第１実施形態の縦型円筒状の洗濯槽と同様、様々な形状の隔壁を任意の取付溝に取り付けて収容室の個数及び容積を選択可能としている。
【００２７】
なお、洗濯槽１１’に軸線方向に延在する取付溝１１ｂ’を設けたことにより洗濯槽１１ｂ’の外周面に凸部が形成され、洗濯槽１１’の外周面を覆うカバー２２’を周方向に位置ズレさせることができない場合には、カバー２２’が洗濯槽１１’の軸線方向に位置ズレ（即ち、凸部に沿って位置ズレ）して、脱水穴を開閉する構成としてもよい。
なお、他の構成及び作用効果は第１実施形態と同様のため、同一の符号を付して説明を省略する。
【図面の簡単な説明】
【００２８】
【図１】（Ａ）〜（Ｃ）は、本発明の第１実施形態を示し、洗濯槽の内部を区分けした状態を示す図面である。
【図２】洗濯機の概略断面図である。
【図３】洗濯槽に隔壁を取り付けていない状態を示す図面である。
【図４】（Ａ）はカバーにより洗濯槽の脱水穴が閉鎖された状態を示す斜視図、（Ｂ）はカバーが位置ズレして脱水穴が開放された状態を示す斜視図である。
【図５】第２実施形態の洗濯槽を示す図面である。
【図６】従来例を示す図面である。
【符号の説明】
【００２９】
１０  洗濯機
１１  洗濯槽
１１ａ  脱水穴
１１ｂ’  取付溝
１２  水槽
１４  パルセータ
１４ａ  取付溝
２０  隔壁
２１  収容室
２２  カバー
２２ａ  閉鎖壁部
２２ｂ  開口
【図１】
2006181129.tif 000003
【図２】
2006181129.tif 000004
【図３】
2006181129.tif 000005
【図４】
2006181129.tif 000006
【図５】
2006181129.tif 000007
【図６】
2006181129.tif 000008